(57)【特許請求の範囲】
【請求項１】
外部装置と非接触に通信する非接触媒体を外部電波から保護する非接触媒体保護ケースであって、
上記非接触媒体を覆ってシールドする導電性コイルを備えた導電性シールドと、上記導電性コイルを電気的に接続または遮断する切換え手段とを備えた
非接触媒体保護ケース。
【請求項２】
外部装置と非接触に通信する非接触媒体を外部電波から保護する非接触媒体保護ケースであって、
ケース本体を二つ折りを許容する見開き形に形成して、一方の見開き片に上記非接触媒体を保持する非接触媒体保持部を形成し、
上記非接触媒体保持部に保持された非接触媒体を覆ってシールドする導電性コイルを備えた導電性シールドを設けると共に、該導電性シールドに上記導電性コイルを電気的に接続または遮断する切換え手段を設け、
上記ケース本体の他方の見開き片に、相互の見開き片が閉のとき上記導電性コイルを電気的に接続し、相互の見開き片が開のとき上記導電性コイルを電気的に遮断する対応操作部を前記切換え手段に対応させて設けた
非接触媒体保護ケース。
【請求項３】
非接触媒体を覆ってシールドする導電性コイルを備えたカード形状の導電性シールドと、
上記導電性コイルを電気的に接続または遮断する切換え手段とを備えた
導電性シールドカード。
【発明の詳細な説明】
【０００１】
【発明の属する技術分野】
この発明は、非接触に通信して取引利用する非接触媒体を外部電波から保護する非接触媒体保護ケースに関し、さらに詳しくは非接触媒体の記録データを確実に保護する非接触媒体保護ケースおよび導電性シールドカードに関する。
【０００２】
【従来の技術】
近年、非接触ＩＣカード等の金銭的価値を備えた電子財布カードを用いて非接触に取引する電子財布システムが知られている。この電子財布システムは電子財布カードの所有者が取引端末機を用いて金銭的価値を引落す情報を電子財布カードに記憶させて取引を許容している。
【０００３】
また、この非接触ＩＣカードを保護するためにカードケースを用いて携帯利用している。この種のカードケースは、例えば特開平１ー１９８３９５号に示すように、非接触ＩＣカードをケース内部に収納し、この携帯利用時に不測に外力を受けて損傷しないように、また静電気を受けてデータ破壊しないように外力や静電気から保護することを目的として作成されている。
【０００４】
【発明が解決しようとする課題】
しかし、この種の非接触ＩＣカードは少し離れた位置から非接触に通信利用できる特性が悪用された場合は、この非接触ＩＣカードの金銭的な価値データやＩＤデータ等の貴重なデータが盗まれる恐れがあり、また非接触形の自動改札機に適用した場合は、自動改札口の付近を通行しただけで誤通信して改札利用と誤判定され、誤って料金が課金される恐れがあった。
【０００５】
そこでこの発明は、非接触媒体と外部装置との通信を利用意思のある場合のみ電気的に接続し、利用意思がない場合は通信を遮断して非接触媒体の記録データを保護する信頼性の高いデータ保護機能を有する非接触媒体保護ケースおよび導電性シールドカードの提供を目的とする。
【０００６】
【課題を解決するための手段】
この発明は、外部装置と非接触に通信する非接触媒体を外部電波から保護する非接触媒体保護ケースであって、上記非接触媒体を覆ってシールドする導電性コイルを備えた導電性シールドと、上記導電性コイルを電気的に接続または遮断する切換え手段とを備えた非接触媒体保護ケースであることを特徴とする。
【０００７】
この発明は、外部装置と非接触に通信する非接触媒体を外部電波から保護する非接触媒体保護ケースであって、ケース本体を二つ折りを許容する見開き形に形成して、一方の見開き片に上記非接触媒体を保持する非接触媒体保持部を形成し、上記非接触媒体保持部に保持された非接触媒体を覆ってシールドする導電性コイルを備えた導電性シールドを設けると共に、該導電性シールドに上記導電性コイルを電気的に接続または遮断する切換え手段を設け、上記ケース本体の他方の見開き片に、相互の見開き片が閉のとき上記導電性コイルを電気的に接続し、相互の見開き片が開のとき上記導電性コイルを電気的に遮断する対応操作部を前記切換え手段に対応させて設けた非接触媒体保護ケースであることを特徴とする。
【０００８】
この発明は、非接触媒体を覆ってシールドする導電性コイルを備えたカード形状の導電性シールドと、上記導電性コイルを電気的に接続または遮断する切換え手段とを備えた導電性シールドカードであることを特徴とする。
【０００９】
【作用】
この発明によれば、非接触媒体保護ケースに収納された非接触媒体は導電性シールドの導電性コイルで覆われ、この導電性シールドの切換え手段を操作して導電性コイルを電気的に接続すると、導電性コイルが外部電波の磁束線を弱める働きをして外部電波からの通信を遮断する。
【００１０】
また、切換え手段を切換え操作して導電性コイルを電気的に遮断すると、導電性コイルの働きがなくなり、外部装置との通信を許容する。
【００１１】
さらに、見開き形の本体ケースにおける一方の見開き片の非接触媒体保持部で非接触媒体を保持し、この保持された非接触媒体の通信待機時は導電性コイルを備えた導電性シールドが覆い、二つ折りの相互見開き片が閉の時、操作対応部が導電性シールドの切換え手段を操作して、導電性コイルを電気的に接続すると、該導電性コイルが働いて、この非接触媒体の通信対応面を閉鎖して外部電波からの通信を遮断し、通信利用時は相互見開き片を開けて、操作対応部が導電性シールドの切換え手段を切換え操作して、導電性コイルを電気的に遮断すると、該導電性コイルの働きがなくなり、外部電波からの通信を許容する。
【００１２】
さらに、導電性シールドカードによれば、非接触媒体を重ね合わせて使用し、切換え手段を操作して、導電性コイルを電気的に接続すると、該導電性コイルが働いて、外部電波との通信を遮断する。通信利用時には切換え手段を切換え操作して、導電性コイルを電気的に遮断すると、導電性コイルの働きがなくなり、外部電波との通信を許容する。
【００１３】
【発明の効果】
この結果、非接触媒体の通信待機時は導電性シールドが非接触媒体を覆って外部電波からの通信を遮断しているため、仮に外部からデータを盗むような悪用が試みられても、この非接触媒体は外部からの不適な通信を確実に遮断して非接触媒体の記録データを安全に保存することができる。
【００１４】
このため、非接触媒体に記録された価値データやＩＤデータ等の貴重な記録データを完全に保護した状態で携帯利用できる。さらに、非接触媒体の利用意思がない状態でこの非接触媒体が他の非接触通信領域に入っても、この外部との非接触通信を遮断するため、誤って料金が課金される恐れがなくなり、信頼性の高い非接触媒体の携帯利用が図れる。
【００１５】
また、切換え手段により電気的に導電性コイルを接続または遮断するので、通信利用する時だけ非接触通信するように切換えることができる。
【００１６】
【実施例】
この発明の実施例を以下図面に基づいて詳述する。
［第１実施例］
図１および図２はカード出入形の電子財布カード保護ケース１１を示し、このカード出入形の電子財布カード保護ケース１１はケース本体１２と電子財布カード１３とを組合せて構成する。
【００１７】
ケース本体１２は、顧客が携帯利用するのに適した小さな長方板形のシート状に設け、この上面には通信対応用に開口した通信開口窓１４を有し、一側面には電子財布カード１３を出入操作するカード出入口１５と、その内方に連通するカード収納スペース１６とを有し、このカード収納スペース１６と対応する同内部底面には導電性シールド用の導電性コイル１７を一体に埋設している。
【００１８】
一方、電子財布カード１３は、カード出入口１５より出入可能な小さなシート状を有し、この内部には金銭データやＩＤデータを記憶し、また非接触にデータ通信する通信機能を備えた非接触ＩＣカード等で構成する。
【００１９】
ところで、ケース本体１２に埋設される導電性コイル１７は、図３に示すように、ケース底面の長方形に対応させて導電性線材３１を長方形の渦巻状に配置し、この導電性コイル１７がケース本体１２に収納された電子財布カード１３の通信対応面の全体を覆う如く対応し、このとき導電性コイル１７の導電性シールド作用が働いて外部装置からの送信電波を遮断する。
【００２０】
図４は導電性コイル１７の導電性シールド作用が働く原理を示し、ケース本体１２に内蔵された導電性コイル１７と電子財布カード１３とが対応したときは、外部装置から出力された磁束線４１によって、この導電性コイル１７には逆電流が流れ、この逆電流の発生に伴って渦電流４２を発生させ、この渦電流４２によってケース内部の磁場を弱くさせる働きをする。この結果、外部からの磁束線４１はケース本体１２に収納された電子財布カード１３を通過せず、外部からの通信を受付けないため外部との通信を回避する。
【００２１】
従って、ケース本体１２に電子財布カード１３を収納しているときは、外部からの通信を遮断して同カード１３の記録データを安全に保存することができる。また、仮に外部からデータを盗むような悪用が試みられても、この電子財布カード１３は導電性コイル１７によって保護されているため外部からの通信を確実に遮断する。さらに、価値データ等の貴重な記録データを完全に保護した状態で携帯利用でき、また電子財布カード１３の利用意思がない状態で同カード１３が非接触自動改札機のような他の通信領域に入っても、この外部で対応する他の通信を完全に遮断するため、誤って料金が過金される恐れがなくなり、信頼性の高い電子財布カードの携帯利用が図れる。
【００２２】
図５および図６は電子財布カード１３の通信利用状態を示し、電子財布カード１３をケース本体１２から取出し、この取出した電子財布カード１３を外部装置のアンテナ５１に近付けて対応させることで、アンテナ５１からの磁束線４１が同カード１３を通過して通信する。
【００２３】
［第２実施例］
図７はカード固定形の電子財布カード保護ケース７１を示し、このカード固定形の電子財布カード保護ケース７１はケース本体７２と電子財布カード７３とを組合せて構成する。
【００２４】
ケース本体７２は、顧客が携帯利用するのに適した小さな長方板形のシート状に設け、この上面には通信対応用に開口した通信開口窓７４を有し、また上面の一隅部には押下操作形の通信切換えスイッチ７５を有し、内方には電子財布カード７３を固定設置し、この固定設置された電子財布カード７３の下面全体と対応する内部底面には導電性シールド用の導電性コイル７６を一体に埋設している。
【００２５】
一方、電子財布カード７３は、ケース本体７２に固定設置可能な小さなシート状を有し、この内部には金銭データやＩＤデータを記憶し、また非接触にデータ通信する通信機能を備えた非接触ＩＣカード等で構成する。
【００２６】
ところで、ケース本体７２に埋設される導電性コイル７６は、図８に示すように、ケース底面の長方形に対応させて導電性線材８１を長方形の渦巻状に配置し、また導電性線材８１の両端部を開閉する通信切換えスイッチ７５を接続しており、この通信切換えスイッチ７５をＯＮ／ＯＦＦ操作することにより、導電性コイル７６は電気的に接続または遮断される。
【００２７】
この通信切換えスイッチ７５はＯＮ操作すると、導電性コイル７６に外部電波に抗した渦電流を発生させてケース内の磁場を弱くする導電性シールド作用が働いて外部電波を遮断する。
【００２８】
これに対し、ＯＦＦ操作すると、導電性コイル７６による導電性シールド作用が解除されて電子財布カード７３と外部電波との通信を許容する。従って、通信利用しない待機時は通信切換えスイッチ７５をＯＮにしておけばよく、通信利用する時だけＯＦＦ操作すればよい。
【００２９】
このようにカード固定形の電子財布カード保護ケース７１の場合は、電子財布カード７３がケース本体７２と一体化した状態で用いられるため、電子財布カード７３の紛失の恐れがなくなり、また簡単なスイッチ操作で通信可否状態を迅速に切換えることができる。
【００３０】
［第３実施例］
図９はカバー開閉形の電子財布カード保護ケース９１を示し、このカバー開閉形の電子財布カード保護ケース９１はケース本体９２と、電子財布カード９３と、導電性シールド用のスライドカバー９４とを組合せて構成する。
【００３１】
このうち、ケース本体９２は顧客が携帯利用するのに適した小さな長方板形のシート状を有し、この内部底面に電子財布カード９３を固定設置している。また、上面に通信対応用にコ形状に大きく開口した通信開口窓９５を設け、この通信開口窓９５の両端縁に沿って形成したスライド溝９６，９６に長方板形のスライドカバー９４を支持させてスライド許容している。
【００３２】
スライドカバー９４は、電子財布カード９３より若干大きめの長方板形のシート状を有してケース本体９２の通信開口窓９５を開閉操作し、このカバー９４には長方形のカバー形状に対応させて導電性線材９７を長方形の渦巻状に配置した導電性コイル９８を内蔵して一体形成している。図中、９９はカバー開閉操作用の取っ手である。
【００３３】
ところで、スライドカバー９４に埋設される導電性コイル９８は、スライドカバー９４を閉操作してケース本体９２の通信開口窓９５を閉鎖したとき、このカバー９４が電子財布カード９３の通信対応面の全体を覆う如く対応し、このとき導電性コイル９８の導電性シールド作用が働いて外部装置からの送信電波を遮断する。
【００３４】
一方、このスライドカバー９４を開操作してケース本体９２の通信開口窓９５を開口したときは、導電性コイル９８の導電性シールド作用が解除されて外部装置からの通信を許容する。
【００３５】
このようなカバー開閉形の電子財布カード保護ケース９１の場合は、電子財布カード９３がケース本体９２と一体化した状態で用いられ、しかもスライドカバー９４をスライド操作させるだけで、外部からの通信を遮断または許容して切換えることができる。
【００３６】
［第４実施例］
図１０は見開き形の電子財布カード保護ケース１０１を示し、この見開き形の電子財布カード保護ケース１０１はケース本体１０２と、電子財布カード１０３と、導電性カード１０４とを組合せて構成する。
【００３７】
このうち、ケース本体１０２は長方板形のシート状を有し、このシート中央部の折目１０５を境にして左右のシート片１０２ａ，１０２ｂを二つ折り許容して設け、携帯時には重合わせて携帯に適した小型化利用を図り、通信時にはこれより見開いて使用する。
【００３８】
そして、一方のシート内面に形成したカード収納部１０２ｃに通信機能が付与された電子財布カード１０３を収納し、他方のシート内面に形成したカード収納部１０２ｄに通信遮断用の導電性カード１０４を収納している。
【００３９】
この導電性カード１０４は、電子財布カード１０３と略同じ大きさか、あるいは若干大きめの長方板形のシート状を有して形成され、この導電性カード１０４には長方形のカード形状に対応させて導電性線材１０６を長方形の渦巻状に配置した導電性コイル１０７を内蔵して一体形成している。
【００４０】
このように構成された見開き形の電子財布カード保護ケース１０１は、コンパクトに二つ折りされた携帯時は両側に収納された相互のカード１０３，１０４が平面的に対設し、導電性コイル１０７を備えた一方の導電性カード１０４が他方の電子財布カード１０３の片面全体を覆う如く対応し、このとき導電性コイル１０７の導電性シールド作用が働いて外方からの通信を遮断する。
【００４１】
一方、通信利用に伴って両シート片１０２ａ，１０２ｂを左右に見開けば、両側に収納されているカード１０３，１０４は左右に分れて導電性コイル１０７による導電性シールド作用が解除される。このため、見開くと同時に導電性シールド作用は働かなくなり、電子財布カード１０３は外部装置との通信を許容する。
【００４２】
このように見開き形の電子財布カード保護ケース１０１の場合は、見開き方向に開閉操作するだけで、これに連動して外部からの通信を遮断または許容することができる。
【００４３】
［第５実施例］
図１１はスイッチ付き見開き形の電子財布カード保護ケース１１１を示し、このスイッチ付き見開き形の電子財布カード保護ケース１１１はケース本体１１２と、電子財布カード１１３と、導電性カード１１４とを組合せて構成する。
【００４４】
このうち、ケース本体１１２は長方板形のシート状を有し、このシート中央部の折目１１５を境にして左右のシート片１１２ａ，１１２ｂを二つ折り許容して設け、携帯時には重合わせて携帯に適した小型化利用を図り、通信時にはこれより見開いて使用する。
【００４５】
そして、一方のシート内面に形成したカード収納部１１２ｃに通信機能が付与された電子財布カード１１３と通信遮断用の導電性カード１１４とを重ね合せて収納している。この導電性カード１１４は、電子財布カード１１３より若干大きめの長方板形のシート状を有し、この導電性カード１１４には長方形のカード形状に対応させて導電性線材１１６を長方形の渦巻状に配置した導電性コイル１１７を内蔵して一体形成している。
【００４６】
ところで、導電性カード１１４の上方一隅部には押下形の通信切換えスイッチ１１８を有しており、このスイッチ１１８は同カード１１４に埋設される導電性線材１１６の両端部を通信接続・遮断用に開閉操作して切換えるものであって、このスイッチ１１８と対向する他方のシート片１１２ａとのスイッチ対応位置には対応突起１１９を突設し、両シート片１１２ａ，１１２ｂを二つ折りして重ね合わせた時に、この対応突起１１９が通信切換えスイッチ１１８を押下してＯＮ操作し、これにより導電性コイル１１７は電気的に接続され、この二つ折りされた状態では導電性コイル１１７の導電性シールド作用が働いて外方からの通信を遮断する。
【００４７】
これに対し、両シート片１１２ａ，１１２ｂを左右に見開けば、これに従って通信切換えスイッチ１１８は押下開放されてＯＦＦ操作され、この見開いた時点で導電性コイル１１７の導電性シールド作用が解除され、これに伴って電子財布カード１１３は外部装置からの通信を許容する。
【００４８】
このようにスイッチ付き見開き形の電子財布カード保護ケース１１１の場合は、ケース本体とカードとが一体的に構成され、また見開き方向に開閉操作するだけで外部からの通信を自動的に遮断または許容することができる。
【００４９】
上述のように、電子財布カードを使用しない通信待機時は導電性コイルが通信遮断用の働きをして電子財布カードを外部電波から保護するため、仮に外部からデータを盗むような悪用が試みられても、この電子財布カードは外部からの不適な通信を確実に遮断して電子財布カードの記録データを安全に保存することができる。
【００５０】
このため、電子財布カードに記録された価値データやＩＤデータ等の貴重な記録データを完全に保護した状態で携帯利用できる。さらに、電子財布カードの利用意思がない状態でこの電子財布カードが他の非接触通信領域に入っても、この領域との通信を確実に遮断するため、誤って料金が課金される恐れがなくなり、信頼性の高い電子財布カードの携帯利用が図れる。また、導電性コイルを電気的に接続または遮断するように切換え設定すれば、通信利用する必要時だけ通信できるように簡単に切換えることができる。
【００５１】
この発明と、上述の実施例の構成との対応において、
この発明の非接触媒体保護ケースは、実施例の電子財布カード保護ケース７１，１１１に対応し、
以下同様に、
非接触媒体は、電子財布カード７３，１１３に対応し、
導電性シールドは、ケース本体７２と、導電性カード１１４に対応し、
見開き片は、シール片１１２ａ、１１２ｂに対応し、
切換え手段は、通信切換えスイッチ７５，１１８に対応するも、この発明は上述の実施例の構成のみに限定されるものではない。
【図面の簡単な説明】
【図１】この発明の第１実施例のカード出入形の電子財布カード保護ケースを示す外観斜視図。
【図２】この発明の第１実施例のカード出入形の電子財布カード保護ケースを示す縦断面図。
【図３】この発明の第１実施例の導電性コイルの配置状態を示す説明図。
【図４】この発明の第１実施例の導電性コイルの導電性シールド原理を示す説明図。
【図５】この発明の第１実施例の電子財布カードと外部装置との通信対応状態を示す斜視図。
【図６】この発明の第１実施例の電子財布カードの通信対応状態を示す説明図。
【図７】この発明の第２実施例のカード固定形の電子財布カード保護ケースを示す外観斜視図。
【図８】この発明の第２実施例の導電性コイルの配置状態を示す説明図。
【図９】この発明の第３実施例のカバー開閉形の電子財布カード保護ケースを示す外観斜視図。
【図１０】この発明の第４実施例の見開き形の電子財布カード保護ケースを展開して示す斜視図。
【図１１】この発明の第５実施例のスイッチ付き見開き形の電子財布カード保護ケースを展開して示す外観斜視図。
【符号の説明】
１１，７１，９１，１０１，１１１…電子財布カード保護ケース
１２，７２，９２，１０２，１１２…ケース本体
１３，７３，９３，１０３，１１３…電子財布カード
１４，７４，９５…通信開口窓
１５…カード出入口
１７，７６，９８，１０７，１１７…導電性コイル
３１，８１，９７，１０６，１１６…導電性線材
４１…磁束線
４２…渦電流
５１…外部装置のアンテナ
７５，１１８…通信切換えスイッチ
９４…スライドカバー
１０４，１１４…導電性カード
１１９…対応突起
【図１】
0003548750.tif 000002
【図２】
0003548750.tif 000003
【図３】
0003548750.tif 000004
【図４】
0003548750.tif 000005
【図５】
0003548750.tif 000006
【図６】
0003548750.tif 000007
【図７】
0003548750.tif 000008
【図８】
0003548750.tif 000009
【図９】
0003548750.tif 000010
【図１０】
0003548750.tif 000011
【図１１】
0003548750.tif 000012